(57)【要約】【課題】非共沸混合冷媒を用いた空気調和装置について、室外ユニットの熱交換器における着霜を抑制する。【解決手段】熱交換器部（12）は、第１の開口部（31）に対向して配置された１つ又は複数の熱交換器（25）により構成されると共に、ガス冷媒が流入又は流出するガス冷媒出入口（18）と、液冷媒が流入又は流出する液冷媒出入口（17）とを備えている。そして、液冷媒出入口（17）は、第１の開口部（31）を通過する空気の平均風速よりも風速が大きい領域に配置されている。【選択図】図１
2008256311.tif 000002
【特許請求の範囲】
【請求項１】
室外ユニット（1）の熱源側回路（3）と室内ユニット（2）の利用側回路（4）とが互いに接続して構成されると共に非共沸混合冷媒が循環する冷媒回路（10）を備えた空気調和装置であって、
上記室外ユニット（1）は、圧縮機（5）と、ファン（14）と、熱交換器部（12）と、上記圧縮機（5）、上記ファン（14）及び上記熱交換器部（12）を収容するケーシング（13）とを備え、
上記ケーシング（13）には、第１の開口部（31）及び第２の開口部（32）が形成され、
上記ファン（14）は、上記第２の開口部（32）に対向して配置され、
上記熱交換器部（12）は、上記第１の開口部（31）に対向して配置された１つ又は複数の熱交換器（25）により構成されると共に、ガス冷媒が流入又は流出するガス冷媒出入口（18）と、液冷媒が流入又は流出する液冷媒出入口（17）とを備え、
上記液冷媒出入口（17）は、上記第１の開口部（31）を通過する空気の平均風速よりも風速が大きい領域に配置されている
ことを特徴とする空気調和装置。
【請求項２】
室外ユニット（1）の熱源側回路（3）と室内ユニット（2）の利用側回路（4）とが互いに接続して構成されると共に非共沸混合冷媒が循環する冷媒回路（10）を備えた空気調和装置であって、
上記室外ユニット（1）は、圧縮機（5）と、ファン（14）と、熱交換器部（12）と、上記圧縮機（5）、上記ファン（14）及び上記熱交換器部（12）を収容するケーシング（13）とを備え、
上記ケーシング（13）には、第１の開口部（31）及び第２の開口部（32）が形成され、
上記ファン（14）は、上記第２の開口部（32）に対向して配置され、
上記熱交換器部（12）は、上記第１の開口部（31）に対向して配置された１つ又は複数の熱交換器（25）により構成されると共に、ガス冷媒が流入又は流出するガス冷媒出入口（18）と、液冷媒が流入又は流出する液冷媒出入口（17）とを備え、
上記液冷媒出入口（17）は、上記熱交換器部（12）におけるケーシング（13）の幅方向の外側両端部（X,Y）の間の中間部に配置されている
ことを特徴とする空気調和装置。
【請求項３】
請求項１又は２において、
上記熱交換器（25）は、それぞれ上記ケーシング（13）の幅方向に延びると共に、互いに重ねて配置された第１層部（41）及び第２層部（42）を備え、
上記第１層部（41）の一端は、上記第２層部（42）の一端に接続され、
上記第１層部（41）の他端には上記液冷媒出入口（17）が形成される一方、上記第２層部（42）の他端には上記ガス冷媒出入口（18）が形成されている
ことを特徴とする空気調和装置。
【請求項４】
請求項３において、
上記ガス冷媒出入口（18）は、上記液冷媒出入口（17）よりも上記ケーシング（13）の幅方向外側に配置されている
ことを特徴とする空気調和装置。
【請求項５】
請求項１又は２において、
上記熱交換器部（12）は、第１の熱交換器（25a）と第２の熱交換器（25b）とにより構成され、
第１の熱交換器（25a）の液冷媒出入口（17）は、第２の熱交換器（25b）の液冷媒出入口（17）に接続される一方、第１の熱交換器（25a）のガス冷媒出入口（18）は、第２の熱交換器（25b）のガス冷媒出入口（18）に接続されている
ことを特徴とする空気調和装置。
【請求項６】
請求項５において、
上記ケーシング（13）は直方体状に形成され、
上記第１の熱交換器（25a）及び上記第２の熱交換器（25b）における各液冷媒出入口（17）は、ケーシング（13）の隅に配置されている
ことを特徴とする空気調和装置。
【請求項７】
請求項５において、
上記第１の熱交換器（25a）及び上記第２の熱交換器（25b）における各液冷媒出入口（17）は、上記ケーシング（13）の幅方向の中央に配置されている
ことを特徴とする空気調和装置。
【発明の詳細な説明】
【技術分野】
【０００１】
本発明は、非共沸混合冷媒が循環する冷媒回路を備えた空気調和装置に関するものである。
【背景技術】
【０００２】
一般に、セパレート型の空気調和装置が知られている（例えば、特許文献１等参照）。この種の空気調和装置は、屋外に設置される室外ユニットと、室内に設置される室内ユニットとを備えている。室外ユニットには熱源側回路が設けられる一方、室内ユニットには利用側回路が設けられている。そうして、これら熱源側回路と利用側回路とが連絡配管によって互いに接続されることにより、冷媒回路が形成されている。
【０００３】
ここで、図１４〜図１７を参照して、一般的な室外ユニットについて説明する。図１４は所謂トランク型室外ユニットの断面構造を示す断面図であり、図１５はトランク型室外ユニットの外観を示す斜視図である。一方、図１６は所謂上吹き型室外ユニットの断面構造を示す断面図であり、図１７は上吹き型室外ユニットの外観を示す斜視図である。
【０００４】
室外ユニット（100）は、図１４〜図１７に示すように、直方体状のケーシング（101）と、ケーシング（101）の内部に収納された圧縮機（102）、熱交換器（103）及びファン（104）とを備えている。
【０００５】
熱交換器（103）の側端部には、液冷媒が流出入する液冷媒出入口（107）と、ガス冷媒が流出入するガス冷媒出入口（108）とがそれぞれ形成されている。ガス冷媒出入口（108）には、四路切換弁（図示省略）が設けられた配管を介して圧縮機（102）が接続されている。一方、液冷媒出入口（107）には配管を介して膨張機構（図示省略）が接続されている。
【０００６】
ケーシング（101）の側面又は上面には、開口部（105）が形成されている。この開口部（105）に対向するように、熱交換器（103）及びファン（104）が配置されている。熱交換器（103）における熱交換量をなるべく増大させるために、熱交換器（103）及びファン（104）は、ケーシング（101）内において大きな領域を占めて配置されている。そのため、圧縮機（102）は、例えばケーシング（101）の片隅に配置されている。
【０００７】
そうして、例えば暖房運転時には、膨張機構側から液冷媒出入口（107）を介して熱交換器（103）に供給された液冷媒が、ファン（104）から送られてくる室外空気との間で熱交換して蒸発し、ガス冷媒出入口（108）から流出し、四路切換弁を介して圧縮機（102）に送られる。その後、圧縮機（102）から吐出されたガス冷媒は、室内ユニット側へ送られる。
【０００８】
また、上記特許文献１に示されるように、空気調和装置の冷媒として非共沸混合冷媒を用いることも知られている。
【特許文献１】特開平１０−２２０８９８号公報
【発明の開示】
【発明が解決しようとする課題】
【０００９】
上述のように、空気調和装置の暖房運転中には、室外ユニット（100）の熱交換器（103）が蒸発器となる。空気調和装置の冷媒が非共沸混合冷媒である場合には、熱交換器（103）における液冷媒の温度は、液冷媒出入口（107）において最も低くなる。その後、冷媒は、熱交換器（103）の内部を流通するに連れて、徐々に温度が上昇していく。
【００１０】
さらに、液冷媒出入口（107）は、通常、圧縮機（102）の近傍に設けられた熱交換器（103）の側端部において、ファン（104）から離れた状態で配置されている。したがって、熱交換器（103）における液冷媒出入口（107）の周りでは、ファン（104）によって供給される空気の流速が比較的小さくなっている。
【００１１】
このように、非共沸混合冷媒を用いた空気調和装置の室外ユニットには、液冷媒出入口の近傍において、特に温度が低くなっていると共に空気の流速が小さくなっていることから、外気中の水分等が霜となって熱交換器に付着し易いという問題がある。
【００１２】
本発明は、斯かる諸点に鑑みてなされたものであり、その目的とするところは、非共沸混合冷媒を用いた空気調和装置について、室外ユニットの熱交換器における着霜を抑制することにある。
【課題を解決するための手段】
【００１３】
上記の目的を達成するために、第１の発明は、室外ユニット（1）の熱源側回路（3）と室内ユニット（2）の利用側回路（4）とが互いに接続して構成されると共に非共沸混合冷媒が循環する冷媒回路（10）を備えた空気調和装置を対象としている。そして、上記室外ユニット（1）は、圧縮機（5）と、ファン（14）と、熱交換器部（12）と、上記圧縮機（5）、上記ファン（14）及び上記熱交換器部（12）を収容するケーシング（13）とを備え、上記ケーシング（13）には、第１の開口部（31）及び第２の開口部（32）が形成され、上記ファン（14）は、上記第２の開口部（32）に対向して配置され、上記熱交換器部（12）は、上記第１の開口部（31）に対向して配置された１つ又は複数の熱交換器（25）により構成されると共に、ガス冷媒が流入又は流出するガス冷媒出入口（18）と、液冷媒が流入又は流出する液冷媒出入口（17）とを備え、上記液冷媒出入口（17）は、上記第１の開口部（31）を通過する空気の平均風速よりも風速が大きい領域に配置されている。
【００１４】
第１の発明では、冷媒回路（10）を構成する室外ユニット（1）の熱源側回路（3）と、室内ユニット（2）の利用側回路（4）との間で非共沸混合冷媒が循環することによって、室内の空気調和が行われる。例えば暖房運転時には、室内ユニット（2）の熱交換器部（12）は蒸発器となり、第１の開口部（31）から流入する室外空気と冷媒との間で熱交換が行われる。すなわち、熱交換器部（12）には、液冷媒が液冷媒出入口（17）から流入し、熱交換器（25）の内部を流通する。本発明に用いられる冷媒は、非共沸混合冷媒であるため、相変化に伴って温度が徐々に上昇する。つまり、液冷媒出入口（17）における冷媒温度（すなわち、熱交換器部（12）の温度）が最も低くなっている。これに対し、液冷媒出入口（17）が、第１の開口部（31）を通過する空気の平均風速よりも風速が大きい領域に配置されているので、熱交換器部（12）における液冷媒出入口（17）の近傍の領域は、大きな流量の室外空気によって温められる結果、着霜しにくくなる。
【００１５】
また、第２の発明は、室外ユニット（1）の熱源側回路（3）と室内ユニット（2）の利用側回路（4）とが互いに接続して構成されると共に非共沸混合冷媒が循環する冷媒回路（10）を備えた空気調和装置を対象としている。そして、上記室外ユニット（1）は、圧縮機（5）と、ファン（14）と、熱交換器部（12）と、上記圧縮機（5）、上記ファン（14）及び上記熱交換器部（12）を収容するケーシング（13）とを備え、上記ケーシング（13）には、第１の開口部（31）及び第２の開口部（32）が形成され、上記ファン（14）は、上記第２の開口部（32）に対向して配置され、上記熱交換器部（12）は、上記第１の開口部（31）に対向して配置された１つ又は複数の熱交換器（25）により構成されると共に、ガス冷媒が流入又は流出するガス冷媒出入口（18）と、液冷媒が流入又は流出する液冷媒出入口（17）とを備え、上記液冷媒出入口（17）は、上記熱交換器部（12）におけるケーシング（13）の幅方向の外側両端部（X,Y）の間の中間部に配置されている。
【００１６】
第２の発明では、上記第１の発明と同様に、液冷媒出入口（17）における熱交換器部（12）の温度が最も低くなっている。ここで、熱交換器部（12）におけるケーシング（13）の幅方向の外側両端部（X,Y）では、その間の中間部に比べて、第１の開口部（31）における空気の流量が小さい。言い換えれば、熱交換器部（12）における外側両端部（X,Y）の間の中間部では、比較的空気の流量が大きくなっている。したがって、その中間部に液冷媒出入口（17）が配置されることにより、熱交換器部（12）における液冷媒出入口（17）の近傍の領域は、大きな流量の空気によって温められる結果、着霜しにくくなる。
【００１７】
第３の発明は、上記第１又は第２の発明において、上記熱交換器（25）は、それぞれ上記ケーシング（13）の幅方向に延びると共に、互いに重ねて配置された第１層部（41）及び第２層部（42）を備え、上記第１層部（41）の一端は、上記第２層部（42）の一端に接続され、上記第１層部（41）の他端には上記液冷媒出入口（17）が形成される一方、上記第２層部（42）の他端には上記ガス冷媒出入口（18）が形成されている。
【００１８】
第３の発明では、液冷媒が、液冷媒出入口（17）から熱交換器（25）の第１層部（41）に流入する。第１層部（41）に流入した液冷媒は、空気との間で熱交換しながら、その第１層部（41）の一端へ流れる。続いて、液冷媒は、第１層部（41）の一端から第２層部（42）の一端を介して第２層部（42）に流入する。そうして、冷媒は、さらに空気との間で熱交換しながら、ガス冷媒となってガス冷媒出入口（18）から流出する。
【００１９】
第４の発明は、上記第３の発明において、上記ガス冷媒出入口（18）は、上記液冷媒出入口（17）よりも上記ケーシング（13）の幅方向外側に配置されている。
【００２０】
第４の発明では、ガス冷媒出入口（18）が液冷媒出入口（17）よりもケーシング（13）の幅方向外側に配置されているので、熱交換器（25）の第２層部（42）が、液冷媒出入口（17）が配置されている位置よりも外側に設けられることとなる。したがって、熱交換器部（12）の伝熱面積は、液冷媒出入口（17）の位置よりも外側に設けられた第２層部（42）によって充分に確保される。
【００２１】
第５の発明は、上記第１または第２の発明において、上記熱交換器部（12）は、第１の熱交換器（25a）と第２の熱交換器（25b）とにより構成され、第１の熱交換器（25a）の液冷媒出入口（17）は、第２の熱交換器（25b）の液冷媒出入口（17）に接続される一方、第１の熱交換器（25a）のガス冷媒出入口（18）は、第２の熱交換器（25b）のガス冷媒出入口（18）に接続されている。
【００２２】
第５の発明では、冷媒が、第１の熱交換器（25a）の液冷媒出入口（17）と、第２の熱交換器（25b）の液冷媒出入口（17）との双方に分岐して流入される。その後、第１の熱交換器（25a）を通ってそのガス冷媒出入口（18）から流出した冷媒は、第２の熱交換器（25b）を通ってそのガス冷媒出入口（18）から流出した冷媒と合流する。こうして、冷媒は、第１の熱交換器（25a）又は第２の熱交換器（25b）を流通する。
【００２３】
第６の発明は、上記第５の発明において、上記ケーシング（13）は直方体状に形成され、上記第１の熱交換器（25a）及び上記第２の熱交換器（25b）における各液冷媒出入口（17）は、ケーシング（13）の隅に配置されている。
【００２４】
第６の発明では、第１の熱交換器（25a）及び第２の熱交換器（25b）の各液冷媒出入口（17）が、ケーシング（13）の隅に配置されていることから、直方体状のケーシング（13）において互いに隣接する２つの側面に形成した第１の開口部（31）に対し、第１の熱交換器（25a）又は第２の熱交換器（25b）を対向して配置させることが可能となる。そのことにより、第１の熱交換器（25a）及び第２の熱交換器（25b）は、それぞれ簡単な平板状に形成することが可能になる。
【００２５】
第７の発明は、上記第５の発明において、上記第１の熱交換器（25a）及び上記第２の熱交換器（25b）における各液冷媒出入口（17）は、上記ケーシング（13）の幅方向の中央に配置されている。
【００２６】
第７の発明では、第１の熱交換器（25a）及び第２の熱交換器（25b）における各液冷媒出入口（17）を、ケーシング（13）の幅方向の中央における空気の風速が大きい領域に配置させることが可能になる。したがって、熱交換器部（12）における液冷媒出入口（17）近傍の領域は、好適に着霜が抑制される。
【発明の効果】
【００２７】
上記第１の発明によれば、液冷媒出入口（17）を空気の平均風速よりも風速が大きい領域に配置したので、冷媒温度が最も低くなる熱交換器部（12）における液冷媒出入口（17）の近傍の領域を、大きな流量の室外空気により温めて、着霜しにくくすることができる。
【００２８】
上記第２の発明によれば、液冷媒出入口（17）を熱交換器部（12）における外側両端部（X,Y）の間の中間部に配置したので、その中間部において、熱交換器部（12）における液冷媒出入口（17）の近傍の領域を比較的流量が大きい空気により温めて、その着霜を抑制することができる。
【００２９】
上記第４の発明によれば、ガス冷媒出入口（18）を液冷媒出入口（17）よりもケーシング（13）の幅方向外側に配置したので、液冷媒出入口（17）が配置されている位置よりも外側に熱交換器（25）の第２層部（42）を設けることができる。したがって、熱交換器部（12）の伝熱面積を、液冷媒出入口（17）の位置よりも外側に設けられた第２層部（42）によって充分に確保することができる。
【００３０】
上記第６の発明によれば、第１の熱交換器（25a）及び第２の熱交換器（25b）における各液冷媒出入口（17）を、直方体状に形成されたケーシング（13）の隅に配置したので、第１の熱交換器（25a）及び第２の熱交換器（25b）を、それぞれ簡単な平板状に形成することができる。
【００３１】
上記第７の発明によれば、ケーシング（13）の幅方向の中央であって、空気の風速が大きい領域に液冷媒出入口（17）を配置できるため、好適に着霜を抑制することができる。
【発明を実施するための最良の形態】
【００３２】
以下、本発明の実施形態を図面に基づいて詳細に説明する。尚、本発明は、以下の実施形態に限定されるものではない。
【００３３】
《発明の実施形態１》
図１〜図３は、本発明の実施形態１を示している。
【００３４】
図１は、室外ユニット（1）の断面構造を模式的に示す断面図である。図２は、室外ユニット（1）の外観を示す斜視図である。図３は、本実施形態１の空気調和装置（S）が備える冷媒回路（10）の回路図を示している。
【００３５】
本実施形態１の空気調和装置（S）は、セパレート型の空気調和装置であって、図３に示すように、互いに配管（7,8）によって接続された室外ユニット（1）及び室内ユニット（2）を備えている。室内ユニット（2）は室内空間に設置される一方、室外ユニット（1）は屋外に設置されている。尚、室内ユニット（2）は、熱交換器（22）と、この熱交換器（22）に対向して配置されたファン（14）とを備えている。
【００３６】
また、空気調和装置（S）は、非共沸混合冷媒が循環する冷媒回路（10）を備えている。冷媒回路（10）は、室外ユニット（1）の熱源側回路（3）と室内ユニット（2）の利用側回路（4）とが、第１連絡配管（7）及び第２連絡配管（8）を介して互いに接続して構成されている。
【００３７】
−冷媒回路−
冷媒回路（10）は、図３に示すように、圧縮機（5）、四路切換弁（9）、室外熱交換器である熱交換器部（12）、膨張機構である膨張弁（6）、及び室内熱交換器（熱交換器）（22）が冷媒配管で接続されて構成されている。この冷媒回路（10）には非共沸混合冷媒が封入されており、その非共沸混合冷媒が冷媒回路（10）を循環することにより、冷凍サイクルが行われるようになっている。
【００３８】
また、冷媒回路（10）は、四路切換弁（9）の切換動作により、冷房運転状態から暖房運転状態に、又は暖房運転状態から冷房運転状態に切り換え可能に構成されている。ここで、暖房運転状態とは、第１ポート（9a）と第３ポート（9c）とが連通すると同時に第２ポート（9b）と第４ポート（9d）とが連通する第１状態（図３の実線）に切り換えられた場合の運転状態である。一方、冷房運転状態とは、四路切換弁（9）が、第１ポート（9a）と第４ポート（9d）とが連通すると同時に第２ポート（9b）と第３ポート（9c）とが連通する第２状態（図３の破線）に切り換えられた場合の運転状態である。
【００３９】
そうして、暖房運転状態では、室外ユニット（1）の熱交換器部（12）が蒸発器となる一方、室内ユニット（2）の熱交換器（22）が凝縮器となる。一方、冷房運転状態では、室外ユニット（1）の熱交換器部（12）が凝縮器となる一方、室内ユニット（2）の熱交換器（22）が蒸発器となる。
【００４０】
−室外ユニットの構成−
本発明の主たる特徴は室外ユニット（1）の構成にある。したがって、以下に、室外ユニット（1）について詳細に説明する。室外ユニット（1）は、所謂トランク型の室外ユニットであって、上述したように本実施形態の空気調和装置（S）を構成している。
【００４１】
室外ユニット（1）は、図１及び図２に示すように、圧縮機（5）と、ファン（14）と、熱交換器部（12）と、直方体状のケーシング（13）とを備えている。ケーシング（13）には、上記圧縮機（5）、上記ファン（14）及び上記熱交換器部（12）が収容されている。
【００４２】
上記ケーシング（13）には、第１の開口部（31）及び第２の開口部（32）が形成されている。第１の開口部（31a,31b）は、図１及び図２に示すように、ケーシング（13）の正面側（図１で下側）の側壁と、それに隣接して直交する側壁（図１及び図２で右側の側壁）とのそれぞれに対し、矩形状に形成されている。一方、第２の開口部（32）は、図１で上側に形成されている。尚、これら第１の開口部（31a,31b）及び第２の開口部（32）には、メッシュ状のカバーが装着されている。
【００４３】
上記ファン（14）は、軸流式のプロペラファンであり、図１に示すように、第２の開口部（32）に対向して配置され、そのファン（14）の中央部に図示省略のファンモータが装着されている。そうして、ファン（14）は、上記ファンモータによって駆動されて、ケーシング（13）内の空気を外部へ排気するようになっている。
【００４４】
また、圧縮機（5）は、図１に示すように、ファン（14）の側方に配置されている。すなわち、圧縮機（5）は、ケーシング（13）の幅方向内の空気の流れをなるべく阻害しないように、また熱交換器部（12）をなるべく広い領域に配置させるために、ケーシング（13）の片隅に配置されている。また、圧縮機（5）と、ファン（14）及び熱交換器部（12）との間には、隔壁（15）が設けられている。
【００４５】
上記熱交換器部（12）は、クロスフィン型の熱交換器であり、第１の開口部（31）に対向して配置された１つ又は複数の熱交換器により構成されている。本実施形態１の熱交換器部（12）は、１つの熱交換器（25）により構成され、全体として、２つの第１開口部（31a,31b）に沿って断面略Ｌ字状に折れ曲がった板状に形成されている。そして、熱交換器部（12）は、ガス冷媒が流入又は流出するガス冷媒出入口（18）と、液冷媒が流入又は流出する液冷媒出入口（17）とを備えている。
【００４６】
熱交換器（25）は、それぞれケーシング（13）の幅方向に延びると共に、互いに重ねて配置された第１層部（41）及び第２層部（42）を備えている。第１層部（41）は、第２層部（42）のケーシング（13）内側（つまりファン（14）側）に配置されている。第１層部（41）及び第２層部（42）は、図１で左右方向に第１の開口部（31a）に沿って延びると共に、図１で上下方向に第１の開口部（31b）に沿って延びている。尚、第１の開口部（31b）は、図１に示すように、ケーシング（13）における圧縮機（5）が配置されている側とは反対側の側面に形成されている。
【００４７】
第１層部（41）及び第２層部（42）には、冷媒が流通する図示省略の伝熱管（チューブ）を複数有しており、これらの伝熱管は、図１で左右方向に第１の開口部（31a）に沿って延びると共に、図１で上下方向に第１の開口部（31b）に沿って延びている。さらに、各伝熱管には、多数の伝熱フィン（図示省略）が、所定の間隔で互いに平行に並んで形成されている。
【００４８】
第１層部（41）の一端（図１で右上側の端部）は、第２層部（42）の一端（図１で右上側の端部）に接続されている。すなわち、第１層部（41）及び第２層部（42）の各伝熱管は、熱交換器（25）における図１で右上側の端部において互いに接続されている。
【００４９】
第１層部（41）の他端（図１で左下側の端部）には、複数の液冷媒出入口（17）が上記伝熱管の端部に形成されている。一方、第２層部（42）の他端（図１で左下側の端部）には、複数のガス冷媒出入口（18）が上記伝熱管の端部に形成されている。
【００５０】
各ガス冷媒出入口（18）には、ヘッダ（19）を介して、四路切換弁（9）が接続されている。四路切換弁（9）には吸入管（23）及び吐出管（24）を介して圧縮機（5）が接続されている。一方、各液冷媒出入口（17）には、分流器（20）を介して膨張弁（6）が接続されている。
【００５１】
こうして、暖房運転時には、液冷媒出入口（17）から伝熱管に供給された液冷媒が、空気との間で熱交換しながら、第１層部（41）を循環した後に第２層部（42）を循環し、ガス冷媒出入口（18）からガス冷媒として排出されるようになっている。一方、冷媒運転時には、その逆に、ガス冷媒出入口（18）から伝熱管に供給されたガス冷媒が、空気との間で熱交換しながら、第２層部（42）を循環した後に第１層部（41）を循環し、液冷媒出入口（17）から液冷媒として排出されるようになっている。
【００５２】
そして、上記液冷媒出入口（17）は、第１の開口部（31a）を通過する空気の平均風速よりも風速が大きい領域に配置されている。第１の開口部（31a）を通過する空気の風速は、ファン（14）の中央部に対向する中央領域において比較的小さくなっている。そして、その中央領域の外側周囲の領域において、風速が比較的大きくなっている。そうして、さらにその外側の領域である第１の開口部（31a）の縁部分の近傍領域において、風速が比較的小さくなっている。したがって、図１に示すように、液冷媒出入口（17）は、第１の開口部（31a）の縁部分よりも内側であって風速が大きい領域に配置されている。このように、液冷媒出入口（17）は、熱交換器部（12）におけるケーシング（13）の幅方向の外側両端部（X,Y）の間の中間部に配置されている。
【００５３】
言い換えれば、液冷媒出入口（17）は、熱交換器部（12）における外側の側端部（X,Y）以外の位置に配置されている。ここで、「外側の側端部」とは、図１に参照符号Ｘ，Ｙで示すように、第１の開口部（31a,31b）に沿ってケーシング（13）の幅方向に伸びる長さ方向の側端部（X,Y）のことである。
【００５４】
一方、ガス冷媒出入口（18）は、液冷媒出入口（17）よりもケーシング（13）の幅方向外側に配置されている。つまり、ガス冷媒出入口（18）は、第１の開口部（31a）の縁部分の近傍に配置されている。言い換えれば、ガス冷媒出入口（18）は、熱交換器部（12）における外側の側端部（X,Y）に配置されている。
【００５５】
このように、液冷媒出入口（17）が端部に設けられている第１層部（41）は、図１に示すように、ガス冷媒出入口（18）が設けられている第２層部（42）よりも、幅が短くなっている。
【００５６】
−室外ユニットの動作−
本実施形態１において、本発明の効果が得られるのは、熱交換器部（12）が蒸発器となる場合に限られるので、ここでは、冷媒回路（10）が暖房状態である場合の室外ユニット（1）の動作についてのみ説明し、冷媒回路（10）が冷房状態である場合の室外ユニット（1）の動作については省略する。
【００５７】
冷媒回路（10）が暖房状態の場合には、四路切換弁（9）は上記第１状態に切り換えられており、非共沸混合冷媒は、図３の冷媒回路図の実線の矢印方向に循環する。
【００５８】
具体的に、上記圧縮機（5）から吐出された冷媒は、第１状態の四路切換弁（9）を通過して、室内ユニット（2）の熱交換器（22）に供給される。熱交換器（22）では、ファン（14）によって供給される室内空気と冷媒との間で熱交換が行われて、室内の空気調和が行われる。凝縮して熱交換器（22）から流出した冷媒は、膨張弁（6）で減圧された後に、分流器（20）を介して室内ユニット（2）の熱交換器部（12）に供給される。熱交換器部（12）では、ファン（14）によって供給される室外空気と冷媒との間で熱交換が行われて、冷媒が蒸発してガス状態となる。
【００５９】
すなわち、分流器（20）で分流した液冷媒は、複数の液冷媒出入口（17）から熱交換器部（12）の第１層部（41）に導入される。第１層部（41）を流通した冷媒は、続いて、第２層部（42）を流通する。そうして、第１層部（41）及び第２層部（42）では、伝熱フィンが設けられた伝熱管を冷媒が流通しながら、室外空気との間で熱交換が行われる。そうして、ガス状態となった冷媒は、第２層部（42）の端部におけるガス冷媒出入口（18）から流出する。
【００６０】
そのとき、熱交換器部（12）における液冷媒出入口（17）の近傍領域は、非共沸混合冷媒の温度が最も低くなっているが、比較的風速が大きい室外空気によって好適に温められる。
【００６１】
ガス冷媒出入口（18）から流出したガス冷媒は、ヘッダ（19）を通じて四路切換弁（9）へ送られた後、圧縮機（5）に吸入される。圧縮機（5）に吸入された冷媒は、圧縮されて再び室内ユニット（2）側へ吐出される。
【００６２】
−実施形態１の効果−
空気調和装置（S）は、暖房運転時に、室外ユニット（1）の熱交換器部（12）が蒸発器となる。本実施形態１の空気調和装置（S）は、その冷媒回路（10）に非共沸混合冷媒が充填されているので、熱交換器部（12）における液冷媒出入口（17）において冷媒温度が最も低くなる。すなわち、熱交換器部（12）のうち液冷媒出入口（17）の近傍領域が、温度が低くなってしまう。
【００６３】
また、図１に示す熱交換器部（12）における外側の側端部（X,Y）の近傍領域では、空気がファン（14）によって吸い込まれにくく、その空気の風速が比較的小さくなっている。
【００６４】
これに対し、本実施形態１では、液冷媒出入口（17）を第１の開口部（31）を通過する空気の平均風速よりも風速が大きい領域に配置したので、熱交換器部（12）における液冷媒出入口（17）の近傍領域を、大きな流量の室外空気により温めて、着霜しにくくすることができる。
【００６５】
すなわち、液冷媒出入口（17）を熱交換器部（12）におけるケーシング（13）の幅方向の外側両端部（X,Y）の間の中間部に配置したので、その中間部において、比較的流量が大きい空気によって、熱交換器部（12）における液冷媒出入口（17）の近傍の領域を温めて、その着霜を抑制することができる。
【００６６】
さらに、ガス冷媒出入口（18）を液冷媒出入口（17）よりもケーシング（13）の幅方向外側（図１で左側）であって、熱交換器部（12）の側端部（図１で左側端部）に配置したので、液冷媒出入口（17）が配置されている位置よりも外側に熱交換器部（12）の第２層部を設けることができる。したがって、熱交換器部（12）の伝熱面積を、液冷媒出入口（17）の位置よりも外側に設けられた第２層部によって充分に確保することができる。言い換えれば、熱交換器部（12）における熱交換量を確保しながら、当該熱交換器部（12）における着霜を抑制することができる。
【００６７】
−実施形態１の変形例−
本実施形態１では、空気調和装置（S）が、上述の所謂トランク型の室外ユニット（1）を有する場合について説明したが、図４及び図５に示すように、所謂上吹き型の室外ユニット（1）を有する場合にも同様に適用することができる。
【００６８】
図４は、室外ユニット（1）の断面構造を模式的に示す断面図である。図５は、室外ユニット（1）の外観を示す斜視図である。
【００６９】
この変形例における室外ユニット（1）は、上部略中央にファン（21）が配置されている。そして、図４に示すように、上方から見て、ファン（21）を囲むように熱交換器部（12）が断面コ字状に形成されている。一方、ケーシング（13）の側壁には、図４及び図５に示すように、３つの第１の開口部（31a,31b,31c）が、断面コ字状の熱交換器部（12）に対向するように形成されている。
【００７０】
熱交換器部（12）は、第１層部（41）とその外側に重ねて配置された第２層部（42）とにより構成されている。第１層部（41）の端部には、液冷媒出入口（17）が設けられる一方、第２層部（42）の端部には、ガス冷媒出入口（18）が設けられている。
【００７１】
液冷媒出入口（17）は、図４に示すように、第１の開口部（31a）の縁部分よりも内側であって、第１の開口部（31a）を通過する空気の平均風速よりも風速が大きい領域に配置されている。一方、ガス冷媒出入口（18）は、熱交換器部（12）におけるケーシング（13）の幅方向の外側両端部（X,Y）の間の中間部に配置されると共に、第１の開口部（31a）の縁部分の近傍に配置されている。
【００７２】
そうして、空気調和装置（S）は、ファン（21）が回転駆動することによって、各第１の開口部（31a,31b,31c）から流入した室外空気と、熱交換器部（12）を流通する冷媒との間で熱交換が行われる。このとき、熱交換器部（12）における液冷媒出入口（17）の近傍領域を、大きな流量の室外空気により温めて、その着霜を抑制することができる。
【００７３】
《発明の実施形態２》
図６及び図７は、本発明の実施形態２を示している。図６は、室外ユニット（1）の断面構造を模式的に示す断面図である。図７は、室外ユニット（1）の外観を示す斜視図である。尚、以降の各実施形態では、図１〜図５と同じ部分については同じ符号を付して、その詳細な説明を省略する。
【００７４】
本実施形態２は、上記実施形態１において、トランク型の室外ユニット（1）に含まれる熱交換器部（12）の構成を変更したものである。すなわち、本実施形態２における熱交換器部（12）は、第１の熱交換器（25a）と第２の熱交換器（25b）とにより構成されている。
【００７５】
第１の熱交換器（25a）は、第１の開口部（31a）に対向するように配置され、第１層部（41）及び第２層部（42）により構成されている。第２の熱交換器（25b）は、第１の開口部（31b）に対向するように配置され、第１層部（41）及び第２層部（42）により構成されている。
【００７６】
第１の熱交換器（25a）の液冷媒出入口（17）は、第２の熱交換器（25b）の液冷媒出入口（17）に接続される一方、第１の熱交換器（25a）のガス冷媒出入口（18）は、第２の熱交換器（25b）のガス冷媒出入口（18）に接続されている。また、各液冷媒出入口（17）は分流器（20）に接続される一方、各ガス冷媒出入口（18）はヘッダ（19）に接続されている。
【００７７】
第１の熱交換器（25a）及び第２の熱交換器（25b）における各液冷媒出入口（17）は、ケーシング（13）の隅に配置されている。すなわち、隣り合う２つの第１の開口部（31a,31b）の間におけるケーシング（13）の隅部分に、各液冷媒出入口（17）が配置されている。
【００７８】
そうして、暖房運転時に、第１の熱交換器（25a）及び第２の熱交換器（25b）には、分流器（20）から各液冷媒出入口（17）を介して液冷媒が供給される。第１の熱交換器（25a）を流通する冷媒は、第１の開口部（31a）を通過する空気との間で熱交換する一方、第２の熱交換器（25b）を流通する冷媒は、第１の開口部（31b）を通過する空気との間で熱交換する。その後、第１の熱交換器（25a）及び第２の熱交換器（25b）を流通したガス冷媒は、各ガス冷媒出入口（18）を介してヘッダ（19）へ流出する。
【００７９】
したがって、本実施形態２によると、ファン（21）から遠く離れた圧縮機（5）の近傍ではなく、その反対側のケーシング（13）隅部分に液冷媒出入口（17）を配置するようにしたので、熱交換器部（12）（第１の熱交換器（25a）及び第２の熱交換器（25b））における液冷媒出入口（17）の近傍領域を、比較的流量が大きい空気によって温めることができる結果、着霜を抑制することができる。
【００８０】
さらに、第１の熱交換器（25a）及び第２の熱交換器（25b）における各液冷媒出入口（17）を、直方体状に形成されたケーシング（13）の隅に配置したので、第１の熱交換器（25a）及び第２の熱交換器（25b）を、それぞれ簡単な平板状に形成することができる。
【００８１】
−実施形態２の変形例−
本実施形態２では、空気調和装置（S）が、上述の所謂トランク型の室外ユニット（1）を有する場合について説明したが、図８及び図９に示すように、所謂上吹き型の室外ユニット（1）を有する場合にも同様に適用することができる。
【００８２】
図８は、室外ユニット（1）の断面構造を模式的に示す断面図である。図９は、室外ユニット（1）の外観を示す斜視図である。
【００８３】
この変形例における室外ユニット（1）は、上部略中央にファン（21）が配置されている。そして、図８に示すように、上方から見て、ファン（21）を囲むように熱交換器部（12）が断面コ字状に形成されている。一方、ケーシング（13）の側壁には、図８及び図９に示すように、３つの第１の開口部（31a,31b,31c）が、断面コ字状の熱交換器部（12）に対向するように形成されている。
【００８４】
熱交換器部（12）は、第１層部（41）とその外側に重ねて配置された第２層部（42）とにより構成されている。第１層部（41）の端部には、液冷媒出入口（17）が設けられる一方、第２層部（42）の端部には、ガス冷媒出入口（18）が設けられている。
【００８５】
また、熱交換器部（12）は、第１の熱交換器（25a）と、第２の熱交換器（25b）とにより構成されている。第１の熱交換器（25a）は、図８に示すように、板状に形成されると共に、第１の開口部（31a）に対向して配置されている。第２の熱交換器（25b）は、図８に示すように、断面Ｌ字状に形成されると共に、隣り合う２つの第１の開口部（31b,31c）に対向して配置されている。
【００８６】
そして、第１の熱交換器（25a）及び第２の熱交換器（25b）における各液冷媒出入口（17）は、ケーシング（13）の隅に配置されている。すなわち、隣り合う２つの第１の開口部（31a,31b）の間におけるケーシング（13）の隅部分に、各液冷媒出入口（17）がガス冷媒出入口（18）と共に配置されている。各液冷媒出入口（17）は分流器（20）に接続される一方、各ガス冷媒出入口（18）はヘッダ（19）に接続されている。
【００８７】
そうして、暖房運転時に、空気調和装置（S）は、ファン（21）が回転駆動することによって、各第１の開口部（31a,31b,31c）から流入した室外空気と、熱交換器部（12）を流通する冷媒との間で熱交換が行われる。このとき、熱交換器部（12）（第１の熱交換器（25a）及び第２の熱交換器（25b））における液冷媒出入口（17）の近傍領域を、大きな流量の室外空気により温めて、その着霜を抑制することができる。
【００８８】
《発明の実施形態３》
図１０及び図１１は、本発明の実施形態３を示している。図１０は、室外ユニット（1）の断面構造を模式的に示す断面図である。図１１は、室外ユニット（1）の外観を示す斜視図である。
【００８９】
本実施形態３では、上記実施形態１のトランク型の室外ユニット（1）において、液冷媒出入口（17）及びガス冷媒出入口（18）の双方をケーシング（13）の幅方向の略中央に配置するようにしたものである。
【００９０】
すなわち、熱交換器部（12）は、第１の熱交換器（25a）と第２の熱交換器（25b）とにより構成されている。図１０及び図１１に示すように、ケーシング（13）には、正面側（図１０で下側）の側壁に、２つの第１の開口部（31a,31d）が形成されている。また、上記実施形態１と同様に、ケーシング（13）の背面側に第２の開口部（32）が形成されると共に、第１の開口部（31d）に隣り合うように第１の開口部（31b）が形成されている。
【００９１】
第１の熱交換器（25a）は、第１の開口部（31a）に対向するように配置されている。一方、第２の熱交換器（25b）は、断面Ｌ字状に形成されると共に、第１の開口部（31d）及び第１の開口部（31b）に対向するように配置されている。
【００９２】
第１の熱交換器（25a）及び第２の熱交換器（25b）の液冷媒出入口（17）は、ケーシング（13）の幅方向の略中央に配置され、それぞれ分流器（20）に接続されている。一方、第１の熱交換器（25a）及び第２の熱交換器（25b）のガス冷媒出入口（18）についても、ケーシング（13）の幅方向の略中央に配置され、それぞれヘッダ（19）に接続されている。
【００９３】
そうして、暖房運転時には、第１の開口部（31a）から流入した室外空気と、第１の熱交換器（25a）を流通する冷媒との間で熱交換が行われる。また、第１の開口部（31b,31d）から流入した室外空気と、第２の熱交換器（25b）を流通する冷媒との間で熱交換が行われる。このとき、熱交換器部（12）（第１の熱交換器（25a）及び第２の熱交換器（25b））における液冷媒出入口（17）の近傍領域を、大きな流量の室外空気により温めて、その着霜を抑制することができる。
【００９４】
−実施形態３の変形例−
本実施形態３では、空気調和装置（S）が、上述の所謂トランク型の室外ユニット（1）を有する場合について説明したが、図１２及び図１３に示すように、所謂上吹き型の室外ユニット（1）を有する場合にも同様に適用することができる。
【００９５】
図１２は、室外ユニット（1）の断面構造を模式的に示す断面図である。図１３は、室外ユニット（1）の外観を示す斜視図である。
【００９６】
この変形例における室外ユニット（1）は、上部略中央にファン（21）が配置されている。そして、図１２に示すように、上方から見て、ファン（21）を囲むように熱交換器部（12）が断面コ字状に形成されている。一方、ケーシング（13）の側壁には、図１２及び図１３に示すように、４つの第１の開口部（31a,31b,31c,31d）が、断面コ字状の熱交換器部（12）に対向するように形成されている。すなわち、図１２で右側のケーシング（13）側壁には、第１の開口部（31a）に隣り合う第１の開口部（31b）が形成されると共に、第１の開口部（31c）に隣り合う第１の開口部（31d）が形成されている。
【００９７】
熱交換器部（12）は、第１層部（41）とその外側に重ねて配置された第２層部（42）とにより構成されている。第１層部（41）の端部には、液冷媒出入口（17）が設けられる一方、第２層部（42）の端部には、ガス冷媒出入口（18）が設けられている。
【００９８】
また、熱交換器部（12）は、第１の熱交換器（25a）と、第２の熱交換器（25b）とにより構成されている。第１の熱交換器（25a）は、図１２に示すように、断面Ｌ字状に形成されると共に、隣り合う２つの第１の開口部（31a,31b）に対向して配置されている。一方、第２の熱交換器（25b）は、断面Ｌ字状に形成されると共に、隣り合う２つの第１の開口部（31c,31d）に対向して配置されている。
【００９９】
そして、第１の熱交換器（25a）及び第２の熱交換器（25b）の液冷媒出入口（17）は、ケーシング（13）の幅方向の略中央に配置され、それぞれ分流器（20）に接続されている。一方、第１の熱交換器（25a）及び第２の熱交換器（25b）のガス冷媒出入口（18）についても、ケーシング（13）の幅方向の略中央に配置され、それぞれヘッダ（19）に接続されている。
【０１００】
そうして、暖房運転時には、第１の開口部（31a,31b）から流入した室外空気と、第１の熱交換器（25a）を流通する冷媒との間で熱交換が行われる。また、第１の開口部（31c,31d）から流入した室外空気と、第２の熱交換器（25b）を流通する冷媒との間で熱交換が行われる。このとき、熱交換器部（12）（第１の熱交換器（25a）及び第２の熱交換器（25b））における液冷媒出入口（17）の近傍領域を、大きな流量の室外空気により温めて、着霜しにくくすることができる。
【０１０１】
《その他の実施形態》
上記各実施形態では、熱交換器部（12）の構成について、いくつかの例を挙げて説明したが、本発明はこれに限定されず、他の構成を有する熱交換器部（12）としてもよい。すなわち、冷媒の流通経路等については何等限定されず、液冷媒出入口（17）を、第１の開口部（31）において平均風速よりも風速が大きくなる領域や、熱交換器部（12）におけるケーシング（13）の幅方向の外側両端部（X,Y）の間の中間部に配置すればよい。
【０１０２】
なお、以上の実施形態は、本質的に好ましい例示であって、本発明、その適用物、あるいはその用途の範囲を制限することを意図するものではない。
【産業上の利用可能性】
【０１０３】
以上説明したように、本発明は、非共沸混合冷媒が循環する冷媒回路を備えた空気調和装置について有用であり、特に、熱交換器における着霜を抑制する場合に適している。
【図面の簡単な説明】
【０１０４】
【図１】図１は、本実施形態１の室外ユニットの断面構造を模式的に示す断面図である。
【図２】図２は、本実施形態１の室外ユニットの外観を示す斜視図である。
【図３】図３は、本実施形態１の空気調和装置が備える冷媒回路の回路図である。
【図４】図４は、本実施形態１の変形例における室外ユニットの断面構造を模式的に示す断面図である。
【図５】図５は、本実施形態１の変形例における室外ユニットの外観を示す斜視図である。
【図６】図６は、本実施形態２の室外ユニットの断面構造を模式的に示す断面図である。
【図７】図７は、本実施形態２の室外ユニットの外観を示す斜視図である。
【図８】図８は、本実施形態２の変形例における室外ユニットの断面構造を模式的に示す断面図である。
【図９】図９は、本実施形態２の変形例における室外ユニットの外観を示す斜視図である。
【図１０】図１０は、本実施形態３の室外ユニットの断面構造を模式的に示す断面図である。
【図１１】図１１は、本実施形態３の室外ユニットの外観を示す斜視図である。
【図１２】図１２は、本実施形態３の変形例における室外ユニットの断面構造を模式的に示す断面図である。
【図１３】図１３は、本実施形態３の変形例における室外ユニットの外観を示す斜視図である。
【図１４】図１４は、従来のトランク型室外ユニットの断面構造を示す断面図である。
【図１５】図１５は、従来のトランク型室外ユニットの外観を示す斜視図である。
【図１６】図１６は、従来の上吹き型室外ユニットの断面構造を示す断面図である。
【図１７】図１７は、従来の上吹き型室外ユニットの外観を示す斜視図である。
【符号の説明】
【０１０５】
S      空気調和装置
1      室外ユニット
2      室内ユニット
3      熱源側回路
4      利用側回路
5      圧縮機
10      冷媒回路
12      熱交換器部
13      ケーシング
14      ファン
17      液冷媒出入口
18      ガス冷媒出入口
21      ファン
22      熱交換器
25,25a,25b      熱交換器
31,31a,31b,31c,31d      第１の開口部
32      第２の開口部
41      第１層部
42      第２層部
【図１】
2008256311.tif 000003
【図２】
2008256311.tif 000004
【図３】
2008256311.tif 000005
【図４】
2008256311.tif 000006
【図５】
2008256311.tif 000007
【図６】
2008256311.tif 000008
【図７】
2008256311.tif 000009
【図８】
2008256311.tif 000010
【図９】
2008256311.tif 000011
【図１０】
2008256311.tif 000012
【図１１】
2008256311.tif 000013
【図１２】
2008256311.tif 000014
【図１３】
2008256311.tif 000015
【図１４】
2008256311.tif 000016
【図１５】
2008256311.tif 000017
【図１６】
2008256311.tif 000018
【図１７】
2008256311.tif 000019